(57)【要約】【課題】  エレベータ利用者が目的階床と異なる階床で乗りかごから降車することを防止するエレベータ利用者の利用階床判定装置及びエレベータ利用者の利用階床判定方法、並びに、この判定装置を備えたエレベータを提供する。【解決手段】  エレベータ利用者の利用階床判定装置において、エレベータ利用者が携帯するＩＣタグ１からの信号を受信する受信部２と、受信部２が受信するＩＣタグ１からの信号に基づいてエレベータ利用者がエレベータの乗りかごから降車することを検知する降車検知部４と、降車検知部４により降車することを検知されるエレベータ利用者が降車する階床として適正であるか否かを判定する利用階床判定部６と、利用階床判定部６による判定結果に基づいてエレベータ利用者が降車する階床として適正でない旨をエレベータ利用者に報知する報知部８とを備える。【選択図】    図１
2006273520.tif 000002
【特許請求の範囲】
【請求項１】
エレベータ利用者が携帯するＩＣタグからの信号を受信する受信部と、
前記受信部が受信する前記ＩＣタグからの信号に基づいて前記エレベータ利用者がエレベータの乗りかごから降車することを検知する降車検知部と、
前記降車検知部により降車することを検知される前記エレベータ利用者が降車する階床として適正であるか否かを判定する利用階床判定部と、
前記利用階床判定部による判定結果に基づいて前記エレベータ利用者が降車する階床として適正でない旨を前記エレベータ利用者に報知する報知部と、
を備えたことを特徴とするエレベータ利用者の利用階床判定装置。
【請求項２】
前記受信部は、前記エレベータ利用者の降車方向に沿って複数設置されていることを特徴とする請求項１記載のエレベータ利用者の利用階床判定装置。
【請求項３】
複数の前記受信部は、前記乗りかご内とエレベータホールとに設置されていることを特徴とする請求項２記載のエレベータ利用者の利用階床判定装置。
【請求項４】
前記降車検知部は、前記受信部が読取る信号の強度変化に基づいて前記エレベータ利用者が前記乗りかごから降車することを検知することを特徴とする請求項１記載のエレベータ利用者の利用階床判定装置。
【請求項５】
前記利用階床判定部は、前記エレベータ利用者が降車しようとする階床の情報と、前記エレベータ利用者について予め登録されている利用階床の情報とを比較して降車する階床として適正である否かを判定することを特徴とする請求項１ないし４のいずれか一記載のエレベータ利用者の利用階床判定装置。
【請求項６】
前記報知部は、前記エレベータ利用者が降車する階床として適正でない旨を前記エレベータ利用者以外に対して更に報知することを特徴とする請求項１ないし５のいずれか一記載のエレベータ利用者の利用階床判定装置。
【請求項７】
請求項１ないし６のいずれか一記載のエレベータ利用者の利用階床判定装置を備えたことを特徴とするエレベータ。
【請求項８】
エレベータ利用者が携帯するＩＣタグからの信号を受信することに基づいて前記エレベータ利用者がエレベータの乗りかごから降車することを検知するステップと、
前記降車検知部により降車することを検知される前記エレベータ利用者が降車する階床として適正であるか否かを判定するステップと、
前記エレベータ利用者が前記乗りかごから降車する階床として適正でない旨を前記エレベータ利用者に報知するステップと、
を備えたことを特徴とするエレベータ利用者の利用階床判定方法。
【発明の詳細な説明】
【技術分野】
【０００１】
本発明は、エレベータ利用者の利用階床判定装置及び利用階床判定方法、並びにエレベータに関し、特に、エレベータ利用者が目的階床と異なる階床で乗りかごから誤って降車することを防止するエレベータ利用者の利用階床判定装置及びエレベータ利用者の利用階床判定方法、並びに、この判定装置を備えたエレベータに関する。
【背景技術】
【０００２】
例えば、下記特許文献１に記載されているように、ビル利用者、マンション利用者に対するセキュリティ性能向上、サービス性能向上の観点から、それぞれの利用者にＩＣタグを携帯させるシステムが普及している。ＩＣタグは、各種の情報が記録されたＩＣチップとＩＣチップの情報を送信するためのアンテナとを有し、ＩＣタグを合成樹脂などのケース内に封入したものがＩＣカードと呼称されている。ＩＣタグからＩＣチップの情報を含む信号が発信され、この信号をＩＣタグリーダ等の受信部によって受信することにより、ＩＣチップに記録された情報の読取りが行われる。
【０００３】
このようなシステムがマンションやビルのエレベータにおいて採用されている場合には、エレベータ利用者が携帯するＩＣタグからの信号を受信部で受信し、その受信結果に基づいて当該エレベータ利用者が降車しようとする目的階床の指定等を自動的に行うことができる。これにより、エレベータ利用者がエレベータの乗りかご内に設けられている目的階床の釦を押さなくても、目的階床のかご呼びが自動的に行われ、エレベータ利用者が降車しようとする目的階床において乗りかごが自動的に停止して、かごドアが開放される。
【特許文献１】特開２００３−２４２２２９号公報
【発明の開示】
【発明が解決しようとする課題】
【０００４】
しかしながら、前述のＩＣタグを使用するシステムにおいては、以下の点について配慮がなされていない。
【０００５】
乗りかご内にエレベータ利用者が複数居る場合、乗りかごは各エレベータ利用者が降車しようとする階床に順次停止する。このため、エレベータ利用者のなかには、自分が降車しようとする目的階床以外の階床で乗りかごが停止したとき、誤って乗りかごから降車してしまうことがある。
【０００６】
目的階床以外の階床で誤って乗りかごから降車したエレベータ利用者は、乗りかごが再び来るまで待たなければならず、時間のロスとなる。
【０００７】
また、ビルやマンションへの外部からの訪問者に対してＩＣタグを貸し与え、エレベータを利用して目的階床に行くことを許容し、他の階床に行くことを拒否するシステムも提案されている。このようなシステムにおいて、訪問者と他のエレベータ利用者とが同じ乗りかご内に乗り合わせた場合、乗り合わせたエレベータ利用者が或る階床で降車したときに、訪問者がそのエレベータ利用者と共に目的階床以外の階床で降車することが発生しうる。このような場合において、訪問者が不審者であると、当該ビルやマンションのセキュリティ性能が著しく損なわれることになる。
【０００８】
本発明は上記問題を解決するためになされたものであり、本発明の目的は、ＩＣタグを携帯するエレベータ利用者が目的階床以外の階床でエレベータの乗りかごから降車しようとしたときに、その階床は目的階床でないことをエレベータ利用者に報知し、エレベータ利用者が目的階床以外の階床で乗りかごから降車することを防止できるエレベータ利用者の利用階床判定装置及び利用階床判定方法、並びにエレベータを提供することである。
【課題を解決するための手段】
【０００９】
本発明の実施の形態に係る第１の特徴は、エレベータ利用者の利用階床判定装置において、エレベータ利用者が携帯するＩＣタグからの信号を受信する受信部と、前記受信部が受信する前記ＩＣタグからの信号に基づいて前記エレベータ利用者がエレベータの乗りかごから降車することを検知する降車検知部と、前記降車検知部により降車することを検知される前記エレベータ利用者が降車する階床として適正であるか否かを判定する利用階床判定部と、前記利用階床判定部による判定結果に基づいて前記エレベータ利用者が降車する階床として適正でない旨を前記エレベータ利用者に報知する報知部と、を備える。
【００１０】
本発明の実施の形態に係る第２の特徴は、エレベータにおいて、第１の特徴に係るエレベータ利用者の利用階床判定装置を備える。
【００１１】
本発明の実施の形態に係る第３の特徴は、エレベータ利用者の利用階床判定方法において、エレベータ利用者が携帯するＩＣタグからの信号を受信することに基づいて前記エレベータ利用者がエレベータの乗りかごから降車することを検知するステップと、前記降車検知部により降車することを検知される前記エレベータ利用者が降車する階床として適正であるか否かを判定するステップと、前記エレベータ利用者が前記乗りかごから降車する階床として適正でない旨を前記エレベータ利用者に報知するステップと、を備える。
【発明の効果】
【００１２】
本発明によれば、ＩＣタグを携帯するエレベータ利用者が目的階床以外の階床でエレベータの乗りかごから降車しようとしたとき、その階床は目的階床でないことをエレベータ利用者に報知することができ、エレベータ利用者が目的階床以外の階床で乗りかごから降車することを防止できる。
【発明を実施するための最良の形態】
【００１３】
以下、本発明の一実施の形態を図面を用いて説明する。
【００１４】
本発明の一実施の形態に係るエレベータ利用者の利用階床判定装置は、図１に示すように、エレベータ利用者が携帯するＩＣカードの一部をなすＩＣタグ１からの信号を受信する受信部として機能する複数のＩＣタグリーダ２ａ、２ｂ、２ｃ、２ｄ（ＩＣタグリーダ２ａ、２ｂ、２ｃ、２ｄは構造が同じであり、必要に応じてＩＣタグリーダ２と表わす）と、ＩＣタグリーダ２が受信するＩＣタグ１からの信号に基づいてエレベータ利用者がエレベータの乗りかご３に乗車又は降車することを検知する乗降車検知部４と、ＩＣタグリーダ２が受信するＩＣタグ１からの信号に基づいて検知される乗りかご３内に乗車しているエレベータ利用者についての情報を記録する乗車情報記録部５と、乗降車検知部４により降車することを検知されるエレベータ利用者が降車する階床として適正であるか否かを判定する利用階床判定部６と、利用階床判定部６による判定結果に基づいてエレベータ利用者が降車する階床として適正でない旨をエレベータ利用者に報知する報知部として機能するアラーム７とを備えている。なお、乗車情報記録部５に記録されるエレベータ利用者についての情報は、ＩＣタグ１を携帯する全てのエレベータ利用者についての情報を記録している判定用テーブル８から呼び出されて記録される。
【００１５】
ＩＣタグ１は、各種の情報が記録されたＩＣチップと、ＩＣチップの情報を送信するためのアンテナとを有している。ＩＣタグ１のＩＣチップには、当該ＩＣタグ１を携帯するエレベータ利用者の「氏名」等が記録されている。「氏名」に代えてエレベータ利用者に固有の「ＩＤ」を記録してもよい。
【００１６】
ＩＣタグリーダ２は、乗りかご３内に２つ（２ａ、２ｂ）、各階床のエレベータホール９毎に２つ（２ｃ、２ｄ）設置されている。ＩＣタグリーダ２は、ＩＣタグ１からの信号を受信し、ＩＣタグ１のＩＣチップに記録されている情報を読取る。ＩＣチップに記録されている情報をＩＣタグリーダ２により読取る技術は周知であるので詳しい説明は省略するが、その一例としては、以下の方式が知られている。ＩＣタグリーダ２のアンテナから電波が発信され、発信された電波がＩＣタグ１のアンテナで受信されることによりアンテナの周囲に磁界が発生し、この磁界が発生することによりＩＣタグ１に電力が供給される。ＩＣタグ１に電力が供給されることにより、ＩＣチップに記録されている情報を含む電波がＩＣタグ１から発信され、この電波がＩＣタグリーダ２により読取られる。これにより、ＩＣタグ１から発信された信号（電波）がＩＣタグリーダ２により受信され、ＩＣチップに記録されている情報がＩＣタグリーダ２により読取られる。
【００１７】
なお、本実施の形態では、乗りかご３内に２つのＩＣタグリーダ２ａ、２ｂを設置し、エレベータホール９毎に２つのＩＣタグリーダ２ｃ、２ｄを設置した場合を例に挙げて説明したが、ＩＣタグリーダ２の数については特に制約はなく、例えばエレベータ利用者が乗りかご３から降車するときの移動方向（乗りかご３内からエレベータホール９に向かう降車方向）に沿って複数設置されていればよい。
【００１８】
乗降車検知部４は、ＩＣタグ１を携帯したエレベータ利用者が乗りかご３から降車することを検知する降車検知部として、また、ＩＣタグ１を携帯したエレベータ利用者が乗りかご３に乗車することを検知する乗車検知部として機能する。
【００１９】
この乗降車検知部４は、まず、ＩＣタグ１からの信号を乗りかご３内に設置されているＩＣタグリーダ２ａ、２ｂによって受信し、ついで、同じＩＣタグ１からの信号をエレベータホール９に設置されているＩＣタグリーダ２ｃ、２ｄによって受信することにより、信号を受信されたＩＣタグ１を携帯したエレベータ利用者が乗りかご３から降車することを検知できる。
【００２０】
また、乗降車検知部４は、まず、ＩＣタグ１からの信号をエレベータホール９に設置されているＩＣタグリーダ２ｃ、２ｄによって受信し、ついで、同じＩＣタグ１からの信号を乗りかご３内に設置されているＩＣタグリーダ２ａ、２ｂによって受信することにより、信号を受信されたＩＣタグ１を携帯したエレベータ利用者が乗りかご３に乗車することを検知できる。
【００２１】
判定用テーブル８には、利用階床判定部６による判定において使用される情報、例えば、ＩＣタグ１を携帯するエレベータ利用者の氏名と当該エレベータ利用者が降車することを許容される階床とをリンクさせた「降車許容階床」の情報が予め記録されている。「降車許容階床」とは、当該エレベータ利用者が居住する居住階床、当該エレベータが設置されているビルやマンションの入り口が設けられている玄関階床、会議室などの共用設備が設けられている共用階床等のように、当該エレベータ利用者が立ち入ることを許容されている階床を意味する。
【００２２】
乗車情報記録部５には、ＩＣタグリーダ２が受信するＩＣタグ１からの信号に基づいて乗りかご３内に乗車しているエレベータ利用者が検知されることに伴い、当該エレベータ利用者について判定用テーブル８から呼び出された「降車許容階床」の情報が記録される。なお、判定用テーブル８から呼び出されて乗車情報記録部５に記録された或るエレベータ利用者についての「降車許容階床」の情報は、当該エレベータ利用者が乗りかご３から降車することにより消去される。
【００２３】
利用階床判定部６は、乗降車検知部４により乗りかご３から降車することを検知されたエレベータ利用者が、その階床で降車することが適正であるか否かを判定する機能を有する。利用階床判定部６における判定は、乗降車検知部４により降車することを検知されたエレベータ利用者が降車しようとする階床（現在、乗りかご３が停止している階床）と、乗車情報記録部５に記録されている当該エレベータ利用者の「降車許容階床」とを比較することにより行われる。エレベータ利用者が降車しようとする階床が、当該エレベータ利用者についての「降車許容階床」に含まれている場合には、その降車は適正であると判定される。一方、エレベータ利用者が降車しようとする階床が、当該エレベータ利用者についての「降車許容階床」に含まれていない場合には、その降車は適正でないと判定される。
【００２４】
アラーム７は、利用階床判定部６において、当該エレベータ利用者がその階床で降車することが適正でないと判定された場合、降車することが適正でない旨を当該エレベータ利用者に報知する部分である。アラーム７は、乗りかご３に設置され、又は、各エレベータホール９に設置されている。アラーム７による報知の方法としては、例えば、「この階床はご利用階床ではありません」、「この階床は○○階床です」等の音声アナウンスや、表示部への視覚的表示を挙げることができる。このような報知により、降車しようとしたエレベータ利用者に対し、その階床が降車すべき階床でないことを気付かせることができる。
【００２５】
このような構成において、エレベータ利用者の利用階床判定は、図３のフローチャートに示すように行われる。なお、この判定は、ＩＣタグリーダ２や乗降車検知部４や利用階床判定部６及びアラーム７等を統括して制御するメイン制御部（図示せず）により行われる。また、ＩＣタグ１を携帯するエレベータ利用者が乗りかご３に乗車することにより、当該エレベータ利用者が携帯するＩＣタグ１の情報がＩＣタグリーダ２により読取られ、乗りかご３内に乗車しているエレベータ利用者についての「降車許容階床」の情報が判定用テーブル８から呼び出されて乗車情報記録部５に記録されている。
【００２６】
エレベータが運行制御され、乗りかご３がある階床で停止したときに、ＩＣタグ１を携帯した乗りかご３内のエレベータ利用者が、乗りかご３から降車したか否かが検知される（Ｓ１）。この検知は、乗降車検知部４において行われ、まず、エレベータ利用者が携帯するＩＣタグ１が乗りかご３内のＩＣタグリーダ２ａ、２ｂの少なくとも一方で読取られ、ついで、当該ＩＣタグ１がエレベータホール９のＩＣタグリーダ２ｃ、２ｄの少なくとも一方で読取られることにより行われる。この場合において、各ＩＣタグ１が発信する固有の信号をＩＣタグリーダ２が受信することにより、同時に複数のエレベータ利用者が降車する場合でも、降車する全てのエレベータ利用者について降車することを検知することができる。
【００２７】
エレベータ利用者が乗りかご３から降車したことが検知された場合は（Ｓ１のＹＥＳ）、乗りかご３から降車したエレベータ利用者が、その階床で降車することが適正であるか否かが判定される（Ｓ２）。この判定は、降車することを検知されたエレベータ利用者についての情報であって判定用テーブル８から呼び出されて乗車情報記録部５に記録されている「降車許容階床」の中に、エレベータ利用者が降車する当該階床（現在、乗りかご３が停止している階床）が含まれているか否を調べることにより行われる。
【００２８】
当該階床が「降車許容階床」の中に含まれていない場合は、その階床はエレベータ利用者が降車する階床として適正な階床でないと判定され（Ｓ２のＮＯ）、アラーム７による報知が行われる（Ｓ３）。この報知の形態としては、例えば、「この階床はご利用階床ではありません」等の音声報知である。
【００２９】
アラーム７による報知が行われることにより、乗りかご３から降車したエレベータ利用者に対しその階床は降車すべき階床でないことを気付かせて乗りかご３内に戻ることを促すことができ、エレベータ利用者が目的とする階床以外の階床で誤って降車することを防止することができる。
【００３０】
一方、ステップＳ２の判定において、判定用テーブル８から呼び出されて乗車情報記録部５に記録されている「降車許容階床」の情報の中に、エレベータ利用者が降車する当該階床（現在、乗りかご３が停止している階床）が含まれている場合には、エレベータ利用者が当該階床で乗りかご３から降車することは適正であると判定され（Ｓ２のＹＥＳ）、アラーム７による報知は行われず、そのまま終了する。
【００３１】
なお、本実施の形態では、エレベータ利用者の降車方向に沿って設置した複数のＩＣタグリーダ２を受信部として用いる場合を例に挙げて説明したが、受信部として１つ又は複数のＩＣタグリーダ２を設け、そのＩＣタグリーダ２が読取るＩＣタグ１からの信号の強度変化によりエレベータ利用者が乗りかご３から降車することを検知する構成としてもよい。これは、ＩＣタグ１を携帯したエレベータ利用者がＩＣタグリーダ２に近付くことによりＩＣタグリーダ２が受信するＩＣタグ１からの信号が強くなり、ＩＣタグ１を携帯したエレベータ利用者がＩＣタグリーダ２から遠ざかることによりＩＣタグリーダ２が受信するＩＣタグ１からの信号が弱くなる原理を利用するものである。この場合において、各ＩＣタグ１が発信する固有の信号をＩＣタグリーダ２が受信することにより、同時に複数のエレベータ利用者が乗りかご３から降車する場合でも、降車する全てのエレベータ利用者について降車することを検知できる。
【００３２】
また、本実施の形態では、エレベータ利用者が降車する階床として適正でない場合にその旨を降車しようとするエレベータ利用者に報知するアラーム７を報知部の一例として設けた場合を例に挙げて説明している。しかし、このような報知部の機能に加え、エレベータ利用者が降車する階床として適正でない旨をエレベータ利用者以外の者に報知する機能を付加しても良い。例えば、警備室や警備会社へ報知する機能を付加することである。さらに、それらの機能に加え、当該エレベータの運行を停止させる機能、他のエレベータが当該階床に停止することを禁止する機能を付加しても良い。これらの機能を付加することにより、エレベータ利用者が降車することを許容されていない階床で乗りかご３から降車した場合に、そのエレベータ利用者を不審者であるとして当該エレベータ利用者の行動の自由を制約することができ、当該エレベータが設置されているビルやマンション等のセキュリティ性能を向上させることができる。
【図面の簡単な説明】
【００３３】
【図１】本発明の一実施の形態に係るエレベータ利用者の利用階床判定装置の概略を示すブロック図である。
【図２】図１に示すエレベータ利用者の利用階床判定装置を備えるエレベータが設けられているエレベータホールの外観図である。
【図３】図１に示すエレベータ利用者の利用階床判定装置における利用階床の判定処理について説明するフローチャートである。
【符号の説明】
【００３４】
１      ＩＣタグ
２      ＩＣタグリーダ（受信部）
３      乗りかご
４      乗降車検知部（降車検知部）
６      利用階床判定部
７      アラーム（報知部）
８      判定用テーブル
９      エレベータホール
【図１】
2006273520.tif 000003
【図２】
2006273520.tif 000004
【図３】
2006273520.tif 000005